(57)【要約】      （修正有）【課題】食料品を保存および輸送するために使用できるフードジャーを提供する。【解決手段】フードジャー１０は、シチュー、チリ（chili）、スープ、飲料、その他の食品のような食料品を容易に収容するための容器１００を含む。容器は食品製品を保存する内部を画定し断熱される。ベース４００はボウルを提供するために取り外し可能に係合し、洗浄後または使用後に再び取り付けることができる。それによって、このようなベースをフードジャーのその他の構成要素と一緒に簡単に輸送することができる。【選択図】図１
2019181206.tif 000002
【特許請求の範囲】
【請求項１】
容器と、ストッパーと、ベースとを備えるフードジャーであって、
前記容器は、食品製品を保存する内部を画定し、前記容器は、開口を形成し、
前記ストッパーは、前記容器の前記開口を取り外し可能に閉塞するような寸法に作られ、
前記容器は、前記容器の下部に位置決めされた保持具であって、上縁を備える保持具を備え、
前記容器は、前記保持具の前記上縁の近くに位置決めされた突出縁を備え、
前記突出縁と前記保持具の前記上縁との間に溝が形成され、
前記ベースは、前記容器の前記下部に取り外し可能に係合するように構成され、
前記ベースの内面は、延在部を含み、
前記溝は、前記ベースを前記容器に係合させるために前記延在部を受け入れる、フードジャー。
【請求項２】
前記延在部は、前記ベースの側壁の内側における一部分を形成するリブ、ねじ山またはその他の突起を備える、請求項１に記載のフードジャー。
【請求項３】
前記ベースは、略平坦な底と、上周縁とを備え、前記延在部は、前記略平坦な底および前記上周縁に略平行である、請求項１に記載のフードジャー。
【請求項４】
前記ベースは、食品を出すためのボウルまたは器を形成する略凹形状を含む、請求項１に記載のフードジャー。
【請求項５】
前記延在部は、前記ベースの前記内面から突出する、請求項１に記載のフードジャー。
【請求項６】
前記溝は、開始部と、終端部とを含み、前記終端部は、陥凹を含む、請求項１に記載のフードジャー。
【請求項７】
前記延在部は、前記ベースの前記内面から突出し、前記延在部は、第１の端と、第２の端とを含み、前記第２の端は、前記第１の端よりもさらに前記ベースの前記内面から突出する、請求項６に記載のフードジャー。
【請求項８】
前記第２の端は、前記陥凹の中に固定される、請求項７に記載のフードジャー。
【請求項９】
第２の溝は、前記突出縁と前記保持具の第２の上縁との間に形成され、前記延在部は、前記溝と前記第２の溝との間でスライドする、請求項１に記載のフードジャー。
【請求項１０】
前記ベースは、前記容器の前記下部の上にスライドするように構成され、前記ベースは、前記ベースを前記容器の前記下部に係止するために回転するように構成される、請求項１に記載のフードジャー。
【請求項１１】
前記容器の上部領域を係合させて、前記ストッパーの上方に嵌合するように構成された蓋をさらに備え、前記蓋は、運搬位置まで上方に伸びるように構成され、および保管位置まで下方に引っ込むように構成されたハンドルを含む、請求項１に記載のフードジャー。
【請求項１２】
前記ハンドルは、前記ハンドルの両側に位置決めされた脚を含み、前記脚は、前記ハンドルが保管位置にあるとき、前記蓋の中に受け入れられる、請求項１１に記載のフードジャー。
【請求項１３】
前記ストッパーは、上部本体と、下部本体とを有し、前記上部本体は、前記下部本体の通気路を開閉する閉塞部材を含むか、または形成する下面を含む、請求項１に記載のフードジャー。 
【請求項１４】
前記閉塞部材は、前記上部本体が前記下部本体の中に回して取り付けられるとき、前記通気路へと挿入され、前記通気路を閉塞し、前記閉塞部材は、前記上部本体が前記下部本体から回して取り外されるとき、前記通気路から取り外されて前記通気路を開ける、請求項１３に記載のフードジャー。
【請求項１５】
前記ベースは、第２の延在部を備え、第２の溝は、前記突出縁と前記保持具の第２の上縁との間に形成され、前記延在部は、前記溝と前記容器の第１の側における前記第２の溝との間でスライドし、前記第２の延在部は、前記溝と前記容器の第２の側における前記第２の溝との間でスライドする、請求項１に記載のフードジャー。
【請求項１６】
前記延在部は、前記溝の中で回転し、前記第２の延在部は、前記第２の溝の中で回転する、請求項１５に記載のフードジャー。
【請求項１７】
容器と、ストッパーと、ベースとを備えるフードジャーであって、
前記容器は、食品製品を保存する内部を画定し、前記容器は、開口を形成し、
前記ストッパーは、前記容器の前記開口を取り外し可能に閉塞するような寸法に作られ、
前記容器は、前記容器の下部に位置決めされた保持具であって、上縁と、下縁とを備える保持具を備え、前記下縁は、前記容器の底と隣接しており、
前記保持具の前記上縁の隣に溝またはトラックが形成され、
前記ベースは、前記容器の前記下部に取り外し可能に係合するように構成され、
前記ベースの内面は、前記ベースの側壁の内側における一部分を形成するリブを含み、
前記溝または前記トラックは、前記ベースを前記容器に係合させるために前記リブを受け入れる、フードジャー。
【請求項１８】
容器と、ストッパーと、ベースとを備えるフードジャーであって、
前記容器は、食品製品を保存する内部を画定し、前記容器は、開口を形成し、
前記ストッパーは、前記容器の前記開口を取り外し可能に閉塞するような寸法に作られ、
前記容器は、前記容器の底の外周またはその近くに位置決めされた突起を備え、
前記ベースは、前記容器の下部に取り外し可能に係合するように構成され、
前記ベースの内面は、第１の部分と第２の部分とを有するチャネルを含み、前記第２の部分は、前記第１の部分と略垂直であり、
前記チャネルは、前記ベースを前記容器に係合させるために前記突起を受け入れる、フードジャー。
【請求項１９】
前記突起は、前記チャネルの開口に入って、前記チャネルの前記第１の部分および前記チャネルの前記第２の部分を通過するように構成され、前記容器および前記ベースの一方または両方は、前記突起を回転させて前記チャネルの前記第２の部分の端に向かって送るように構成される、請求項１８に記載のフードジャー。 
【請求項２０】
前記ベースは、保管領域を画定し、ボウルは、前記保管領域の中に位置決めされる、請求項１８に記載のフードジャー。
【発明の詳細な説明】
【技術分野】
【０００１】
関連出願の相互参照
この出願は、２０１８年４月１０日に提出された米国仮特許出願第６２／６５５，７５７号の優先権を主張する。
【０００２】
本発明は、フードジャーに関する。
【背景技術】
【０００３】
食品容器は、食料品を保存および輸送するためにしばしば使用される。従来、フードジャーは、概して１人の人間がそこから食べたり飲んだりするために１つの容器を有するだけである。ユーザーが複数の人に飲食物を提供したいのならば、余分なボウルや器具をフードジャーと共に持ち歩く必要がある。このような余分な品物は、忘れたり置き忘れたりしやすいかもしれない。
【発明の概要】
【発明が解決しようとする課題】
【０００４】
複数の人が飲食料品を保存および輸送するために使用できるフードジャーを説明する。フードジャーは、食料品を保存するために断熱構造または非断熱構造を含み、場合により後で消費するために加温温度または冷蔵温度で保存する。
【０００５】
フードジャーは、容器と、ストッパーと、蓋と、ベースとを含んでもよい。容器は、食料品を保存する内部を含むか、または飲料品を保存するように構成することができる。蓋および／またはストッパーは、容器の開口を閉塞する。ベースは、容器の底または下部に取り外し可能に係合する。ベースは、それ自体がボウルとして機能するために容器から取り外すことができる。
【課題を解決するための手段】
【０００６】
１つの態様では、フードジャーを説明する。フードジャーは、容器を含む。容器は、食品製品を保存する内部を画定する。容器は、開口を形成する。ストッパーは、容器の開口を取り外し可能に閉塞するような寸法に作られている。容器は、容器の下部に位置決めされた保持具を含む。保持具は、上縁を含む。容器は、保持具の上縁の近くに位置決めされた突出縁を含む。突出縁と保持具の上縁との間に溝が形成されている。ベースは、容器の下部に取り外し可能に係合するように構成されている。ベースの内面は、延在部を含む。溝は、容器にベースを係合させるために延在部を受け入れる。
【０００７】
別の態様では、フードジャーを説明する。フードジャーは、容器を含む。容器は、食品製品を保存する内部を画定する。容器は、開口を形成する。ストッパーは、容器の開口を取り外し可能に閉塞するような寸法に作られている。容器は、容器の下部に位置決めされた保持具を含む。保持具は、上縁および下縁を含む。下縁は、容器の底と隣接している。保持具の上縁の隣に溝またはトラックが形成されている。ベースは、容器の下部に取り外し可能に係合するように構成されている。ベースの内面は、ベースの側壁の内側における一部分を形成するリブを含む。溝またはトラックは、容器にベースを係合させるためにリブを受け入れる。
【０００８】
別の態様では、フードジャーを説明する。フードジャーは、容器を含む。容器は、食品製品を保存する内部を画定する。容器は、開口を形成する。ストッパーは、容器の開口を取り外し可能に閉塞するような寸法に作られている。容器は、容器の底の外周またはその近くに位置決めされた突起を含む。ベースは、容器の下部に取り外し可能に係合するように構成されている。ベースの内面は、第１の部分と第２の部分とを有するチャネルを含む。第２の部分は、第１の部分と略垂直である。チャネルは、容器にベースを係合させるために突起を受け入れる。
【０００９】
別の態様では、ストッパーは、２つ以上の器具を保持するように構成された区画または保管領域を形成する。
【００１０】
別の態様では、容器は、容器に着脱可能に係合するように構成されたベースを含む。ベースは、保管領域を画定する。１つまたは複数のボウルは、保管領域の中に位置決めされてもよい。ベースは、ボウルを利用するために容器から取り外すことができ、ボウルは、食品を出す器具として使用することができる。ベースは、容器の保護用外部カバーとしても機能する。
【００１１】
さらなる態様では、フードジャーは、数人のユーザーに器具およびボウルを提供することができる。フードジャーは、一体構成またはワンピース（one-piece）構成で複数の器具およびボウルを提供する。フードジャーは、複数の器具および／または複数のボウルを保持する。単一のフードジャーは、食品を保存し、次いで食品をカップル、家族、同僚等に出すために使用することができる。第１のユーザーは、フードジャーの内容物の一部を第２のユーザーのためにボウルに入れることができ、次いで第１のユーザーは、フードジャーから直接食べることができる。
【００１２】
さらなる態様では、ストッパーは、容器の開口を覆うために容器の上部または容器のその他の構造に直接回して取り付けることができる。ストッパーおよび容器は、ストッパーを容器に係合させるための相補的なねじ付き面を含むことができる。蓋は、容器に螺合することもできる。別の態様では、ストッパーは、蓋により容器の開口の上方に保持される。蓋は、容器の上に回して取り付けられ、ストッパーが容器に対してシールするようにし、それにより開口を閉塞する。
【００１３】
その他の態様では、蓋は、格納式ハンドルを含んでもよい。ハンドルは、運搬位置まで引き上げられるか、または保管位置まで押し下げられてもよい。
【図面の簡単な説明】
【００１４】
【図１】フードジャーの実施形態の斜視図である。
【図２】蓋が取り外された状態のフードジャーの実施形態の斜視図である。
【図３】蓋の断面図である。
【図４】ハンドルが延長された状態の蓋の断面図である。
【図５】ハンドルの蓋への係合を示している。
【図６】蓋およびストッパーの分解組立図を示している。
【図７】ストッパーの容器への係合を示している。
【図８】ストッパーの斜視図である。
【図９】ストッパーの分解組立図である。
【図１０】ベースの容器への係合を示している。
【図１１】フードジャーの断面図である。
【図１２】容器に係合されたベースを示している。
【図１３】容器に係合されたベースの断面図である。
【図１４】容器に係合されたベースの詳細図である。
【図１５】容器の下部の斜視図である。
【図１６】容器の下部の正面図である。
【図１７】容器の下部の断面図である。
【図１８】ベースの図である。
【図１９】ベースの断面図である。
【図２０】ストッパーの下部斜視図である。
【図２１】フードジャーの第２の実施形態の斜視図である。
【図２２】容器から取り外され、ストッパーを露出させた蓋を示している。
【図２３】容器およびベースの分解組立図である。
【図２４】ベースの容器への係合を示している。
【図２５】ベースから取り外されたボウルを示している。
【発明を実施するための形態】
【００１５】
本願の目的のために、相対位置を説明するいかなる用語（例えば、「上部」、「中央部」、「下部」、「外部」、「内部」、「上方」、「下方」、「底部」、「頂部」等)は、図に示す本発明の実施形態を参照するが、それらの用語は実施形態を利用できる方向を限定するものではない。図１〜２０を参照して、フードジャー１０を説明する。フードジャー１０は、容器１００と、ストッパー２００と、蓋３００と、ベース４００とを含む。蓋３００は、容器１００の上部１１０に取り外し可能に係合し、一方、ベース４００は、容器１００の下部１２０に取り外し可能に係合する。
【００１６】
容器１００は、シチュー、チリ（chili）、スープ、飲料または狭口容器にそう簡単には適合しないであろうその他の食品のような食料品を容易に収容するために広口開口１０２を含む。容器１００は、断熱材により真空断熱または断熱されていてもよい。開口１０２は、容器１００における食料品を保持する内部１０４に通じている。ストッパー２００は、上部本体２２０および下部本体２５０を含む。ストッパー２００は、容器１００の開口１０２を覆うために容器１００の上部１１０に取り外し可能に係合する。蓋３００は、ストッパー２００の上方に位置決めされている。ベース４００は、容器１００の下部１２０に取り外し可能に係合する。ベース４００は、容器１００の食料品を出すためのボウルを提供するために容器１００の下部１２０から取り外すことができる。ベース４００は、洗浄後または使用後に容器１００の下部１２０に再び取り付けることができる。それによって、このようなベース４００をフードジャー１０のその他の構成要素と一緒に簡単に輸送することができる。
【００１７】
図７を参照すると、図に示す態様の容器１００は、ねじ付きの外面１１２を有する首部１０８を含む。蓋３００は、ねじ付きの内壁面３１２を含む。蓋３００は、蓋３００のねじ付きの内壁面３１２を首部１０８のねじ付きの外面１１２と螺合することによって容器１００に係合されている。
【００１８】
首部１０８は、ねじ付きの内壁面１１４をさらに含む。ストッパー２００の下部本体２５０は、首部１０８のねじ付きの内壁面１１４と螺合するためにねじ付きの外面２５１を含む。
【００１９】
図９を参照すると、図に示すストッパー２００は、頂部２１０と、上部本体２２０と、下部本体２５０とを含む。ストッパー２００が容器１００に螺合されるとき、下部ストッパーシール２５２は、首部１０８または容器１００の内壁面に付勢または押圧されて、容器１００を閉塞位置までシールする。下部ストッパーシール２５２は、下部本体２５０の下部の外径上に位置決めされてもよい。断熱材２１５はまた、上部本体２２０に含まれてもよい。
【００２０】
下部本体２５０は、ストッパー２００が容器１００を閉塞しているときに、ガス／空気が容器１００を出入りするのを可能にする通気路２５３を含む。この態様では、通気路２５３は、下部本体２５０の中に開口を含んでもよい。上部本体２２０は、下部本体２５０の通気路２５３と接する閉塞部材２１４を含むか、または形成する下面２１２を含む。閉塞部材２１４は、上部本体２２０の裏側にある。閉塞部材２１４は、上部本体２２０が下部本体２５０の中に回して取り付けられるとき、通気路２５３の中に挿入され、通気路２５３を閉塞する。閉塞部材２１４は、通気路２５３を開けるために上部本体２２０が下部本体２５０から回して取り外されるとき、通気路２５３から取り外される。これによって、容器１００の中の内圧は、大気圧と等しくなる。
【００２１】
上部本体２２０は、下部本体２５０の内部２５４に螺合する。上部本体２２０は、ねじ付きの外面２１８を有する側壁２１６を含む。下部本体２５０は、ねじ付きの内壁面２６２を有する側壁２５８を含む。上部本体２２０が下部本体２５０に回して取り付けられるとき、上部本体２２０の外側のねじ付きの外面２１８は、下部本体２５０の内側のねじ付きの内壁面２６２と螺合する。ある態様では、螺合は下部本体２５０から上部本体２２０を完全に分離することを可能にするように構成されている。一方、その他の態様では、上部本体２２０および下部本体２５０は、互いに対して回転することができるが、完全に分離可能であるようには構成されていない。
【００２２】
ストッパー２００の頂部２１０は、ユーザーがストッパー２００を回している間に把持するための把持面２１３を有する周縁２１１を含む。図２０に関して、頂部２１０は、上部本体２２０および下部本体２５０に係合する１つまたは複数の突出部材２１７をさらに含む。突出部材２１７は、下部本体２５０の側壁２５８の上周縁２５９に形成された１つまたは複数の可撓性キャッチ２６０と係合する。可撓性キャッチ２６０は、側壁２５８のリリーフカットに近接して形成されてもよい。ユーザーが上部本体２２０を回して取り外すとき、突出部材２１７は、最終的に可撓性キャッチ２６０と接触および係合して、下部本体２５０を同じ緩め方向に送ることになる。一方、上部本体２２０が下部本体２５０に締め付けられるとき、突出部材２１７は可撓性キャッチ２６０と接触して可撓性キャッチ２６０を撓ませる。したがって、可撓性キャッチ２６０は、上部本体２２０の下部本体２５０への締め付けを妨げない。図２０に関して、突出部材２１７は、突出部材２１７が可撓性キャッチ２６０と係合して下部本体２５０を同じ緩め方向に送る前に、上部本体２２０が十分回して取り外されて閉塞部材２１４を通気路２５３から引き抜くのを可能にするように間隔を空けて配置されている。このことは、下部本体２５０を容器１００から回して取り外す前に、通気路２５３を開けて、容器１００内の圧力が周囲環境とつり合うのを可能にする。
【００２３】
この態様では、通気路２５３は、ガスケット開口２５６を有するガスケット２５５を含む。ガスケット２５５は、通気路２５３に対してシールする弾性的に可撓性のある材料で作られている。ガスケット２５５は、通気路２５３を覆ってもよい。
【００２４】
上部本体２２０が容器１００の中において低圧状態で回して取り外されるとき、フードジャー１０の外側の周辺空気は、真空を緩和するために通気路２５３およびガスケット２５５を通過して容器１００の内部に入ることができる。容器１００の中における高圧状態では、内部の空気またはガスは、通気路２５３を介して容器１００からフードジャー１０の外に抜け出ることができる。
【００２５】
図１１に関して、上部本体２２０の下面２１２が示されている。閉塞部材２１４は、下面２１２から延在または突出する。これによって、ストッパー２００が容器１００に回して取り付けられるときに、閉塞部材２１４はガスケット開口２５６（またはガスケット２５５のない態様では通気路２５３）に入り、ガスケット開口２５６を閉塞する。ストッパー２００が容器１００に回して取り付けられるとき、閉塞部材２１４はガスケット開口２５６に接近し、ストッパー２００が容器１００にさらに螺合されると、閉塞部材２１４はガスケット開口２５６の中に入るか、または挿入する。ねじ付き面が完全に締め付けられるとき、閉塞部材２１４は完全にガスケット開口２５６の中に挿入され、ガスケット２５５を閉塞する。
【００２６】
閉塞部材２１４は、下面２１２の中央に設置されてもよい。閉塞部材２１４の中心軸は、通気路２５３またはガスケット開口２５６の中心軸と一直線になっている（本態様に適用可能である）。上部本体２２０の下面２１２は、略平坦であってもよい。閉塞部材２１４は、上部本体２２０の下面２１２から延在または突出する。
【００２７】
ストッパー２００の通気路２５３は、ストッパー２００が完全に容器１００にねじ切られる前に容器１００の中から圧力を解放する。ストッパー２００が少なくとも部分的に緩められるとき、通気路２５３が開けられて容器１００の内部を制御された方法で通気する。これは、容器１００が振られていたり、食品が容器１００にあまりにも長時間保存されていたりする場合に、圧力が容器１００の内部にたまる可能性があるため有利である。ストッパー２００を部分的に緩めることで、食料品がフードジャー１０の中で冷めたとき、ストッパー２００の通気路２５３を開けて容器１００の内部に生じた真空を解放することができる。これは、ストッパー２００のより簡単な取り外しを可能にする。通気路２５３は、ストッパー２００を完全に取り外すことなく容器１００の中の圧力を緩和することができ、容器１００の中の高圧を緩和するとき、不用意な食品の吹き出し（food spray）を低減するのを助ける。
【００２８】
閉塞部材２１４は、その他の閉塞部材、下向き部材（descending members）、プラグ、ストッパー、延在部等のような上部本体２２０に位置決めされるか、または上部本体２２０で形成される代替構造で構成されてもよく、下部本体２５０の通気口に挿入、シール、閉鎖またはその他の方法で閉塞する。上部本体２２０を容器の下部本体２５０に回して取り付けることによって、閉塞部材２１４は通気路２５３のガスケット開口２５６と一直線になる。
【００２９】
ガスケット２５５は、通気路２５３またはその中に位置決めされている。ガスケット２５５は、ゴム状または弾性のある材料から形成することができる。容器１００の中と周囲環境とで比較的等しい圧力を有する通常の位置では、ガスケット２５５は、閉塞部材２１４に対してシールして通気路２５３を閉塞する。容器１００の中の圧力が高圧状態まで上昇するとき、ガスケット２５５は容器１００の中から圧力を解放するために撓むかまたは変形することができる。ガスケット２５５はまた、上部本体２２０を動かしたり、その他の方法で上部本体２２０を動かしたりすることを必要とせずに圧力の自動解放を提供することができる。
【００３０】
図に示す態様では、頂部２１０は上部本体２２０の上方に嵌合し、上部本体２２０は下部本体２５０の中に嵌合する。図８に関して、頂部２１０は上面２２５を含み、陥凹２３０は上面２２５に形成されている。陥凹２３０は、頂部２１０の下降部２３５によって形成することができる。陥凹２３０は、保管領域２４０を形成する。保管領域２４０は、２つ以上の器具２４３、２４４を保持するような形状に作られている。保管領域２４０は、２つの器具２４３、２４４を保持するような形状および寸法に作られている。しかしながら、保管領域２４０はまた、単一の器具、薬味、飲料添加物、クラッカー、調味料、その他の食品製品等を収容または保存することができる。蓋３００は、容器１００に係合し、保管領域２４０を覆うように構成されている。その他の態様では、保管領域２４０に向けての別体のカバーがあってもよい。
【００３１】
ストッパー２００の下部本体２５０は、概して開いた内部２５４を有する。上部本体２２０は、下部本体２５０と相補的であるような形状に作られているか、または構成されている。上部本体２２０と下部本体２５０との組み合わせによって、容器１００の開口１０２を閉塞し、容器１００からの内容物の漏れが全くないか最小限の漏れで容器１００の内容物を容器１００の中に維持する。示した態様では、上部本体２２０は下部本体２５０の内部に螺合する。その他の態様では、上部本体２２０は、その他の方法で互いに螺合するか、下部本体２５０にプレスフィットしてもよい。
【００３２】
図３〜５に関して、蓋３００の頂面３１０は、格納式ハンドル３５０を含むことができる。格納式ハンドル３５０は、運搬位置まで上方に伸びるように構成され、かつ保管位置まで下方に引っ込むように構成されている。格納式ハンドル３５０は、フードジャー１０を運搬するための便利な把持構造を形成する。格納式ハンドル３５０は、頂面３１０にぴったりくっつくように頂面３１０に対して引っ込む。格納式ハンドル３５０は、脚３６０および脚３６５に備え付けられており、脚３６０および脚３６５は格納式ハンドル３５０の両側に位置決めすることができる。脚３６０および脚３６５は、格納式ハンドル３５０が格納位置にあるとき、蓋体３０２の中に受け入れられる。示した態様では、脚３６０および脚３６５は、蓋３００のチャネル３７０および３７５とスライド係合される。脚３６０および脚３６５は、チャネル３７０および３７５から伸縮する。脚３６０および脚３６５は、それぞれ付勢タブ３６２および３６７を含み、付勢タブ３６２および３６７は、格納式ハンドル３５０を蓋３００に保持するためにチャネル３７０および３７５の縁３７２および３７７と係合する。蓋３００は、内蓋部材および外蓋部材を有する二部式構造（a two-part construction）を含んでもよい。その他の態様では、蓋３００は単一の部材から形成されてもよい。当技術分野で既知のその他のハンドルは、図に示すハンドル３５０に追加または置き換えられてもよい。
【００３３】
図１０〜１２に関して、ベース４００は容器１００に着脱可能に係合するように構成されている。ベース４００は、容器１００の下部１２０に着脱可能に係合する。ベース４００は、容器１００の食品内容物を出すためのボウルまたは器を形成できる略凹形状である。ベース４００は、側壁４１０に移行する略平坦な底４０５を含む。略平坦な底４０５は、側壁４１０と略垂直であってもよい。側壁４１０は、ベース４００の円形開口４１６を画定する上周縁４１２に通じている。ベース４００の内部は、容器１００の下部１２０（または下部１２０の一部分）または食品内容物を受け入れることができる受入空間４１８を形成するために、概して空洞であるか、または開いている。
【００３４】
容器１００およびベース４００は、ベース４００を容器１００に保持するために、バヨネット接続、プレスフィット接続、ツイストロック（twist to lock）接続、ねじ接続等のような相補的係合機構または相補的係止機構を有する。この態様では、ベース４００は、容器１００の下部１２０にツイストロック係合によって取り外し可能または着脱可能に係合する。以下でより詳細に説明するように、側壁４１０の第１の延在部４２０Ａおよび側壁４１０の第２の延在部４２０Ｂは、ベース４００を容器１００に保持するために、容器１００の下部１２０の保持具１４０と係合する。この態様では、第１の延在部４２０Ａおよび第２の延在部４２０Ｂは、ベース４００の内部表面の両側にあり、容器１００の下部１２０の両側にある保持具１４０によって形成された溝１７０Ａおよび溝１７０Ｂと係合する。その他の態様では、延在部４２０Ａおよび延在部４２０Ｂならびに溝１７０Ａおよび溝１７０Ｂは、相補的な方法で配置されていてもよい。
【００３５】
図１１に示すように、容器１００の下部１２０は、入れ子要素１３０を含む。図に示す態様では、入れ子要素１３０は、着脱可能な第２のボウルとして構成されており、入れ子要素１３０は、ベース４００の中に嵌合するような寸法に作られ、位置決めされている。ベース４００が容器１００の下部１２０に完全に係合されるとき、入れ子要素１３０は、その他の構成要素の中に入れ子にされ、接触することはできるが、取り付けることはできない。ベース４００および入れ子要素１３０が両方とも容器１００から取り外されるとき、ユーザーは２つの別体のボウルを持って、より簡単に２つの異なる食品を出すか、または２人の人に食品を出す。ユーザーは、食品、薬味、器具、鍵またはその他の品物を入れ子要素１３０の中に保存することもできる。ある態様では、入れ子要素１３０はまた、ベース４００に取り外し可能に取り付けられるか、またはベース４００で保持されているのではなく、下部１２０に取り外し可能に取り付けられてもよい。
【００３６】
代替的な態様では、入れ子要素１３０は、下部１２０から着脱可能であるように意図されていないものである。入れ子要素１３０は、追加の断熱材を含んでもよい。入れ子要素１３０は、容器１００の底に使用された溶接を隠す装飾カバーを形成することができる。入れ子要素１３０は、テーブル、デスクまたはその他の平面に容器１００を置くために安定したベースを形成することができる。入れ子要素１３０は、ベース４００が容器１００の下部１２０に係合されるとき、ベース４００の位置決めおよび方向決めを補助することができる。
【００３７】
ベース４００の側壁４１０の内面４１４は、第１の延在部４２０Ａおよび第２の延在部４２０Ｂを含む。延在部４２０Ａおよび延在部４２０Ｂは、側壁４１０の内側における一部分を形成するリブ、ねじ山またはその他の突起を含んでもよい。延在部４２０Ａおよび延在部４２０Ｂは、側壁４１０の内面４１４から突出する。延在部４２０Ａおよび延在部４２０Ｂは、略平坦な底４０５に対して、および図に示す態様における上周縁４１２に対して略平行である。延在部４２０Ａおよび延在部４２０Ｂは、上周縁４１２から間隔を置いて配置されている。示した態様では、第１の延在部４２０Ａは、第１の端４２２Ａおよび第２の端４２４Ａを含み、第２の延在部４２０Ｂは、第１の端４２２Ｂおよび第２の端４２４Ｂを含む。この態様では、第２の端４２４Ａおよび第２の端４２４Ｂは、側壁４１０の内面４１４から第１の端４２２Ａおよび第１の端４２２Ｂよりもさらに突出する。すなわち、第２の端４２４Ａおよび第２の端４２４Ｂは、第１の端４２２Ａおよび第１の端４２２Ｂよりも厚い。
【００３８】
容器１００の下部１２０の保持具１４０は、容器１００の外部表面１５０から延在する。保持具１４０は、容器１００の外部表面１５０に永久に固定されるように意図された別体の構成要素であってもよい。例えば、保持具１４０は、容器１００の外部表面１５０に接着、溶接またはその他の方法で結合されていてもよい。例えば、保持具１４０は、金属製の容器１００に固定されるプラスチック材料から形成することができる。このようなプラスチック材料は、鋳型製造、より安価な材料または製造のようなこの構成要素にとって有益な特性、またはその他の材料、例えばステンレス鋼に比べて材料により可撓性を有することができる。例えば、保持具１４０は、容器１００の下部１２０にスライドするか、または係合する環状構造を含んでもよい。保持具１４０はまた、容器１００の外部表面１５０を形成する材料で成形されるか、または形成されてもよい。すなわち、保持具１４０は、容器１００の外部表面１５０の一体部分であってもよい。
【００３９】
図１５を参照して、保持具１４０は、下縁１４４Ａの概して反対側の上縁１４２Ａを含む。保持具１４０は、右縁１４８Ａの概して反対側の左縁１４６Ａを含む。示した態様では、上縁１４２Ａは容器１００の垂直軸と略垂直である。図に示す態様では、保持具１４０はまた、下縁１４４Ｂの概して反対側の上縁１４２Ｂを含む。保持具１４０はまた、右縁１４８Ｂの概して反対側の左縁１４６Ｂを含む。
【００４０】
容器１００は、保持具１４０の上縁１４２Ａおよび上縁１４２Ｂの近くに位置決めされた突出縁１６０をさらに含む。第１の溝１７０Ａは、突出縁１６０と保持具１４０の上縁１４２Ａとの間に形成され、第２の溝１７０Ｂは、突出縁１６０と保持具１４０の上縁１４２Ｂとの間に形成されている。以下でより詳細に説明するように、容器１００の溝１７０Ａおよび溝１７０Ｂは、ベース４００が容器１００に固定されるとき、ベース４００の延在部４２０Ａおよび延在部４２０Ｂを受け入れる。
【００４１】
図１５に示すように、第１の溝１７０Ａは、左縁１４６Ａに近い開始部１７２Ａと、右縁１４８Ａに近い終端部１７４Ａとを含む。終端部１７４Ａは、陥凹１７５Ａを含む。ベース４００の延在部４２０Ａが溝１７０Ａと一直線になり、回転される場合、第２の端４２４Ａは、最終的に終端部１７４Ａの陥凹１７５Ａの中に固定されることになる。第２の端４２４Ａと陥凹１７５Ａとの接触（interaction）は、ベース４００の容器１００に対する回転を確実に停止させることができる。このことは、ユーザーにとってベース４００が容器１００にしっかりと係合されていることを意味する。第２の延在部４２０Ｂは、第２の溝１７０Ｂに同様の方法で係合する。
【００４２】
ベース４００を容器１００に係合させるために、ベース４００は容器１００と一直線になっており、それによって延在部４２０Ａおよび延在部４２０Ｂは溝１７０Ａと溝１７０Ｂとの間にある。この態様では、フードジャー１０は、２つの溝１７０Ａおよび１７０Ｂと、２つの延在部４２０Ａおよび４２０Ｂとを含む。２つの溝１７０Ａおよび１７０Ｂは、概して容器１００の下部１２０の上に対向して配置されている。２つの延在部４２０はまた、概してベース４００における側壁４１０の内面４１４の上に対向して配置されている。
【００４３】
図１０に関して、第１の延在部４２０Ａは保持具１４０の溝１７０Ａの左にあり、第２の延在部４２０Ｂは保持具１４０の溝１７０Ｂの左にある。ここで、ベース４００は、入れ子要素１３０の上方かつ容器１００の下部１２０の上にスライドすることができる。上周縁４１２は、最終的に突出縁１６０と接触し、スライド移動を停止させることができる。ここで、第１の延在部４２０Ａの第２の端４２４Ａは、図に示す溝１７０Ａの開始部１７２Ａにあり、第２の延在部４２０Ｂの第２の端４２４Ｂは、溝１７０Ｂに対して同様に位置決めされている。容器１００およびベース４００の一方または両方は、第１の延在部４２０Ａを図に示す溝１７０Ａの中に送るように、かつ第２の延在部４２０Ｂを図に示す溝１７０Ｂの中に送るように回転させることができる。一旦、延在部４２０Ａおよび延在部４２０Ｂが溝１７０Ａおよび溝１７０Ｂに入ると、ベース４００は概して容器１００に係合される。十分な回転の後、第１の延在部４２０Ａの第２の端４２４Ａは、最終的に図に示す溝１７０Ａの終端部１７４Ａの陥凹１７５Ａの中に固定されることになり、一方、第２の延在部４２０Ｂの第２の端４２４Ｂは、同様に最終的に図に示す溝１７０Ｂの陥凹１７５Ｂの中に固定されることになる。ここで、容器１００およびベース４００は、完全に共に係合される。容器１００をベース４００から取り外すか、または外すために、容器１００およびベース４００の一方または両方は、回転されて最初に延在部４２０Ａおよび延在部４２０Ｂを溝１７０Ａおよび溝１７０Ｂから取り外す必要があり、次いで容器１００およびベース４００は、引く動作によって分離されてもよい。
【００４４】
図１〜２０に示す態様では、フードジャー１０は、２つの溝１７０Ａおよび１７０Ｂと、２つの延在部４２０Ａおよび４２０Ｂとを含む。その他の態様では、容器１００の保持具１４０または下部１２０は、ベース４００の単一の延在部と係合するか、または接する単一の溝のみを含んでもよい。このような態様では、単一の溝および単一の延在部は、ベース４００を容器１００に固定するために、ベース４００と容器１００とを十分に係合させることができる。
【００４５】
次に、図２１〜２５を参照し、本開示の別の態様を図に示す。フードジャー１１は、容器５００と、ストッパー６００と、蓋７００と、ベース８００とを含む。ベース８００は、容器５００に取り外し可能に係合するように構成されている。ベース８００は保管領域８１０を画定し、保管領域８１０はボウル８２０を受け入れるか、またはその他の品物、薬味、食料品、食品添加物等を保持することができる。ベース８００は、底面８３５の概して反対側の上周縁８３０を含む。側壁８４０は、上周縁８３０および底面８３５につながっている。
【００４６】
保管領域８１０は、容器５００の底面８３５とベース８００内面８０２との間に形成されている。ボウル８２０は、保管領域８１０の中に位置決めされていてもよい。ボウル８２０は、ベース８００の中に入れ子にされるような寸法および形状に作られている。ベース８００は、容器５００の下部領域に取り外し可能または着脱可能に係合する。
【００４７】
フードジャー１１は、ベース８００が容器５００に着脱可能に係合する種類であることを除き、概してフードジャー１０と機能および操作の点で同様である。フードジャー１１は、ベース８００の容器５００へのバヨネット型係合を利用する。ある態様では、図１〜２０に示す態様の特徴は、図２１〜２５に示す態様の特徴と組み合わせられるか、または置き換えられてもよい。
【００４８】
フードジャー１０と同様に、フードジャー１１のストッパー６００は、容器５００の開口に取り外し可能に係合する。蓋７００は、ストッパー６００の上方に位置決めされている。蓋７００の頂面７１０は、格納式ハンドル７５０を含むことができる。格納式ハンドル７５０は、運搬位置まで上方に伸びるように構成され、保管位置まで下方に引っ込むように構成されている。当技術分野で既知のその他のハンドルは、図に示すハンドルに追加または置き換えられてもよい。
【００４９】
示した態様では、ベース８００の内面８０２は、第１の部分８５２および第２の部分８５４を有するチャネル８５０を含み、第２の部分８５４は、第１の部分８５２と略垂直である。チャネル８５０は、内面８０２に切り込まれるか、または形成されている。
【００５０】
チャネル８５０への開口８６０は、ベース８００の上周縁８３０に位置決めされている。第１の部分８５２は、フードジャー１１の垂直軸に略平行である。第２の部分８５４は、フードジャー１１の垂直軸と略垂直である。
【００５１】
容器５００の外面５１０における突起５６０は、第１の部分８５２に嵌合し、次いで第２の部分８５４に着脱可能または取り外し可能な係合で嵌合する。ベース８００が適切に容器５００と一直線になっているとき、突起５６０は、チャネル８５０の開口８６０に入ることができ、チャネル８５０の第１の部分８５２および第２の部分８５４を介して付勢される。突起が第２の部分８５４に入るために、容器５００およびベース８００の一方または両方が回転され、容器５００およびベース８００の一方または両方が突起５６０をチャネル８５０の端８６５に送ってもよい。一旦、突起５６０が第２の部分８５４に入ると、ベース８００は概して容器５００に係合されるか、または係止される。ベース８００を容器５００から外すか、または解除するために、容器５００およびベース８００の一方または両方を再度反対方向に回転させる。次いで、容器５００およびベース８００を引き離し、分離することができる。
【００５２】
突起５６０は、容器５００の底外周５１２またはその近くに形成されている。図２３に示すように、突起５６０は、底外周５１２に近い外面５１０の上に形成されている。突起５６０は、外面５１０から横方向に延在してもよい。突起５６０は、容器５００の垂直軸と略垂直に延在してもよい。第２の突起５６０はまた、第２のチャネル８５０と係合するために、容器５００の底外周５１２またはその近くに形成されていてもよい。
【００５３】
突起５６０は、溶接またはその他の方法で外面５１０に取り付けられていてもよい。突起５６０はまた、外面５１０に一体的に形成されていてもよい。突起５６０は、より簡単にチャネル８５０にスライドするために、丸くなった形状または円形形状であってもよい。
【００５４】
さらなる態様では、本明細書で説明したベース４００およびベース８００は、それぞれの容器１００または容器５００の下部領域に螺合されてもよく、それぞれの容器１００または容器５００の下部領域にその他の方法で着脱可能に係合されてもよい。例えば、本明細書で説明したベース４００およびベース８００は、スナップフィット、プレスフィットまたはその他の相補的な係止機構によって、それぞれの容器１００または容器５００の下部領域に係合してもよい。
【００５５】
したがって、本開示は本明細書で説明した特定の態様に限定されるものではなく、以下の特許請求の範囲が定義するように、この新規な概念の精神および範囲から逸脱することなく種々の変更および改良を行うことができることを理解すべきである。さらに、出願人の開示における多くのその他の利点は、以上の説明および以下の特許請求の範囲から当業者には明らかであるだろう。
【符号の説明】
【００５６】
１０  フードジャー
１１  フードジャー
１００  容器
１０２  広口開口
１０４  内部
１０８  首部
１１０  上部
１１２  外面
１１４  内壁面
１２０  下部
１３０  子要素
１４０  保持具
１４２Ａ  上縁
１４２Ｂ  上縁
１４４Ａ  下縁
１４４Ｂ  下縁
１４６Ａ  左縁
１４６Ｂ  左縁
１４８Ａ  右縁
１４８Ｂ  右縁
１５０  外部表面
１６０  突出縁
１７０Ａ  第１の溝
１７０Ｂ  第２の溝
１７２Ａ  開始部
１７４Ａ  終端部
１７５Ａ  陥凹
１７５Ｂ  陥凹
２００  ストッパー
２１０  頂部
２１１  周縁
２１２  下面
２１３  把持面
２１４  閉塞部材
２１５  断熱材
２１６  側壁
２１７  突出部材
２１８  外面
２２０  上部本体
２２５  上面
２３０  陥凹
２３５  下降部
２４０  保管領域
２４３  器具
２４４  器具
２５０  下部本体
２５１  外面
２５２  下部ストッパーシール
２５３  通気路
２５４  内部
２５５  ガスケット
２５６  ガスケット開口
２５８  側壁
２５９  上周縁
２６０  可撓性キャッチ
２６２  内壁面
３００  蓋
３０２  蓋体
３１０  頂面
３１２  内壁面
３５０  格納式ハンドル
３６０  脚
３６２  付勢タブ
３６５  脚
３６７  付勢タブ
３７０  チャネル
３７２  縁
３７５  チャネル
３７７  縁
４００  ベース
４０５  底
４１０  側壁
４１２  上周縁
４１４  内面
４１６  円形開口
４１８  受入空間
４２０  延在部
４２０Ａ  第１の延在部
４２０Ｂ  第２の延在部
４２２Ａ  第１の端
４２２Ｂ  第１の端
４２４Ａ  第２の端
４２４Ｂ  第２の端
５００  容器
５１０  外面
５１２  底外周
５６０  第２の突起
６００  ストッパー
７００  蓋
７１０  頂面
７５０  格納式ハンドル
８００  ベース
８０２  内面
８１０  保管領域
８２０  ボウル
８３０  上周縁
８３５  底面
８４０  側壁
８５０  第２のチャネル
８５２  第１の部分
８５４  第２の部分
８６０  開口
８６５  端
【図１】
2019181206.tif 000003
【図２】
2019181206.tif 000004
【図３】
2019181206.tif 000005
【図４】
2019181206.tif 000006
【図５】
2019181206.tif 000007
【図６】
2019181206.tif 000008
【図７】
2019181206.tif 000009
【図８】
2019181206.tif 000010
【図９】
2019181206.tif 000011
【図１０】
2019181206.tif 000012
【図１１】
2019181206.tif 000013
【図１２】
2019181206.tif 000014
【図１３】
2019181206.tif 000015
【図１４】
2019181206.tif 000016
【図１５】
2019181206.tif 000017
【図１６】
2019181206.tif 000018
【図１７】
2019181206.tif 000019
【図１８】
2019181206.tif 000020
【図１９】
2019181206.tif 000021
【図２０】
2019181206.tif 000022
【図２１】
2019181206.tif 000023
【図２２】
2019181206.tif 000024
【図２３】
2019181206.tif 000025
【図２４】
2019181206.tif 000026
【図２５】
2019181206.tif 000027
【外国語明細書】
2019181206000001.pdf